(57)【要約】【課題】  内部へのほこり等の侵入を防止して、接触不良や不完全挿入を防止することができるカードコネクタを提供する。【解決手段】  第１のメモリーカード12ａおよび第２のメモリーカード12ｂのうちの一方を挿入口13から本体20に収容する際に、蓋14はメモリーカード12ａ、14ｂにより押されて本体20の内側に向けて押し開かれる。そして、挿入口13から本体20に挿入されたメモリーカード12ａ、12ｂは、本体20の外側に突出しているイジェクトボタン15を押すことにより、押出手段40により挿入口13から押出される。このとき、イジェクトボタン15の押込み移動に連動して、蓋14が本体20の内側に向けて押し開かれる。従って、メモリーカード12ａ、12ｂの挿入動作時および取り出し動作時を除いて、挿入口13の蓋14が閉じられてほこり等が本体20内部に侵入するのを防止することができるので、挿入口13からほこり等が侵入して、接触不良や不完全挿入が生じるという問題を解消できる。【選択図】  図２
2005093101.tif 000002
【特許請求の範囲】
【請求項１】
形状および寸法が異なる薄板状に形成された第１のメモリーカードおよび第２のメモリーカードを互いに排他的に挿入口から収容可能な本体と、
前記本体内における収容位置から前記挿入口を通じて前記本体の外側に前記第１のメモリーカードおよび前記第２のメモリーカードを押出す押出手段と、
前記押出手段を操作するために前記押出手段から前記第１のメモリーカードおよび前記第２のメモリーカードの挿入方向に沿って延び、かつ、前記本体の外側に露出するイジェクトボタンとを備え、
前記第１のメモリーカードおよび前記第２のメモリーカードのうちの一方を前記本体に収容すると、前記第１のメモリーカードおよび前記第２のメモリーカードのうちの一方に押圧される前記押出手段を介して前記イジェクトボタンが前記本体の外側に突出するカードコネクタであって、
前記挿入口に設けられて揺動開閉可能な蓋を有し、
前記第１のメモリーカードおよび前記第２のメモリーカードのうちの一方を前記本体に収容する際に、前記蓋が前記第１のメモリーカードおよび前記第２のメモリーカードのうちの一方により前記本体の内側に向けて押し開かれるとともに、
前記第１のメモリーカードおよび前記第２のメモリーカードのうちの一方を前記本体から取り出す際に、前記蓋が前記イジェクトボタンの押込み移動に連動して前記本体の内側に向けて押し開かれることを特徴とするカードコネクタ。
【請求項２】
前記イジェクトボタンの操作部側に設けられた第１凹部と、前記イジェクトボタンにおける前記第１凹部よりも前記押出手段側に設けられた第２凹部とを備え、
前記第１凹部が、前記本体に前記第１のメモリーカードおよび前記第２のメモリーカードが挿入されていないときに前記蓋の開放動作に干渉しないとともに、
前記第２凹部が、前記イジェクトボタンを前記本体に向かって押し込むことにより、前記蓋に係合して当該蓋を開放することを特徴とする請求項１に記載したカードコネクタ。
【請求項３】
前記本体に挿入された前記第１のメモリーカードおよび前記第２のメモリーカードが正規位置にないときに、不完全挿入を検知する不完全挿入検知手段を備えていることを特徴とする請求項１に記載したカードコネクタ。
【請求項４】
前記不完全挿入検知手段が、前記第１のメモリーカードおよび前記第２のメモリーカードにおける端子部を短絡させることにより読取不可能にすることを特徴とする請求項１に記載したカードコネクタ。
【発明の詳細な説明】
【技術分野】
【０００１】
本発明はカードコネクタに係り、例えば自動車への搭載に適したカードコネクタに関する。
【背景技術】
【０００２】
従来より、例えばデジタルカメラやシリコンオーディオプレーヤ等に用いられる端子位置の異なる小型メモリーカードが接続可能なメモリーカードコネクタが知られている（例えば特許文献１参照）。
【０００３】
すなわち、図８に示すように、このメモリーカードコネクタ100では、複数の端子部103、104が、ケーシング102内に設けられている。また、メモリーカードの横幅や厚みを検出する検出手段105、106を有しており、メモリーカードをスロット101からケーシング102内に挿入することにより、メモリーカードの種類を検出する。これにより、検出されたメモリーカードに対応した端子が接続可能となり、端子位置が異なる複数の小型メモリーカードを各別に接続することができるようになっている。
【特許文献１】特開２００２−１５８０６８号公報（図４）
【発明の開示】
【発明が解決しようとする課題】
【０００４】
ところで、前述したカードコネクタ100においては、スロット101からほこり等が本体内部に入りやすいため、端子部103、104とメモリーカードの端子との間に接触不良が生じたり、メモリーカードの挿入が不完全になる虞れがあるという不都合があった。
【０００５】
本発明は、前述した問題点に鑑みてなされたものであり、その目的は内部へのほこり等の侵入を防止して、接触不良や不完全挿入を防止することができるカードコネクタを提供することにある。
【課題を解決するための手段】
【０００６】
前述した目的を達成するために、本発明は、形状および寸法が異なる薄板状に形成された第１のメモリーカードおよび第２のメモリーカードを互いに排他的に挿入口から収容可能な本体と、前記本体内における収容位置から前記挿入口を通じて前記本体の外側に前記第１のメモリーカードおよび前記第２のメモリーカードを押出す押出手段と、前記押出手段を操作するために前記押出手段から前記第１のメモリーカードおよび前記第２のメモリーカードの挿入方向に沿って延び、かつ、前記本体の外側に露出するイジェクトボタンとを備え、前記第１のメモリーカードおよび前記第２のメモリーカードのうちの一方を前記本体に収容すると、前記第１のメモリーカードおよび前記第２のメモリーカードのうちの一方に押圧される前記押出手段を介して前記イジェクトボタンが前記本体の外側に突出するカードコネクタであって、前記挿入口に設けられて揺動開閉可能な蓋を有し、前記第１のメモリーカードおよび前記第２のメモリーカードのうちの一方を前記本体に収容する際に、前記蓋が前記第１のメモリーカードおよび前記第２のメモリーカードのうちの一方により前記本体の内側に向けて押し開かれるとともに、前記第１のメモリーカードおよび前記第２のメモリーカードのうちの一方を前記本体から取り出す際に、前記蓋が前記イジェクトボタンの押込み移動に連動して前記本体の内側に向けて押し開かれることを特徴としている。
【０００７】
ここで、メモリーカードとしては、例えば薄板状のメモリーカードのみならず、スティック状のメモリースティック等も含むものである。
【０００８】
このように構成されたカードコネクタにおいては、第１のメモリーカードおよび第２のメモリーカードのうちの一方を挿入口から本体に収容する際に、蓋は第１のメモリーカードおよび第２のメモリーカードのうちの一方により押されて本体の内側に向けて押し開かれる。
【０００９】
そして、挿入口から本体に挿入された第１のメモリーカードまたは第２のメモリーカードは、本体の外側に突出しているイジェクトボタンを押すことにより、押出手段により挿入口から押出される。このとき、イジェクトボタンの押込み移動に連動して、蓋が本体の内側に向けて押し開かれる。
【００１０】
従って、このカードコネクタにおいては、メモリーカードの挿入動作時および取り出し動作時を除いて、挿入口の蓋が閉じられていてほこり等が本体内部に侵入するのを防止することができるので、挿入口からほこり等が侵入して、接触不良や不完全挿入が生じるという問題を解消できることになる。
【００１１】
また、本発明は、前記イジェクトボタンの操作部側に設けられた第１凹部と、前記イジェクトボタンにおける前記第１凹部よりも前記押出手段側に設けられた第２凹部とを備え、前記第１凹部が、前記本体に前記第１のメモリーカードおよび前記第２のメモリーカードが挿入されていないときに前記蓋の開放動作に干渉しないとともに、前記第２凹部が、前記イジェクトボタンを前記本体に向かって押し込むことにより、前記蓋に係合して当該蓋を開放することを特徴としている。
【００１２】
このように構成されたカードコネクタにおいては、イジェクトボタンの操作部側に設けられた第１凹部は、メモリーカードが挿入されていない場合には蓋の開放動作に干渉しない。従って、通常時は閉じており、メモリーカードを挿入する際には本体の内側に回動して開く。また、イジェクトボタンにおいて、第１凹部よりも押出手段側に設けられた第２凹部は、本体内に収容されているメモリーカードを取り出す際にイジェクトボタンを本体に向かって押し込むことにより、蓋に係合して蓋を開放する。これにより、メモリーカードを、蓋に干渉することなく取り出すことができる。
【００１３】
また、本発明は、前記本体に挿入された前記第１のメモリーカードおよび前記第２のメモリーカードが正規位置にないときに、不完全挿入を検知する不完全挿入検知手段を備えていることを特徴としている。
【００１４】
このように構成されたカードコネクタにおいては、メモリーカードが本体内に挿入されて、正規位置に達していない場合には、不完全挿入検知手段が完全に挿入されていないことを検知する。これにより、メモリーカードの不完全挿入を回避することができる。
【００１５】
また、本発明は、前記不完全挿入検知手段が、前記第１のメモリーカードおよび前記第２のメモリーカードにおける端子部を短絡させることにより読取不可能にすることを特徴としている。
【００１６】
このように構成されたカードコネクタにおいては、不完全挿入検知手段として、第１のメモリーカードおよび第２のメモリーカードにおける端子部を短絡させることにより読取不可能にする。これにより、メモリーカードの不完全挿入を回避することができる。
【発明の効果】
【００１７】
本発明によれば、メモリーカードの挿入動作時および取り出し動作時を除いて、挿入口の蓋が閉じられてほこり等が本体内部に侵入するのを防止することができるので、挿入口からほこり等が侵入して、接触不良や不完全挿入が生じるという問題を解消できることになる。
【発明を実施するための最良の形態】
【００１８】
以下、本発明に係る実施形態を図面に基づいて詳細に説明する。図１は本発明に係るカードコネクタの実施形態を示す斜視図、図２（Ａ）および（Ｂ）はメモリーカードを挿入した状態の本体を示す平面図および断面図であり（Ｃ）は突出片によりメモリーカードを保持している状態を示す拡大図、図３（Ａ）および（Ｂ）はメモリーカードが途中位置にある状態の本体を示す平面図および断面図、図４（Ａ）および（Ｂ）はメモリーカードを完全に引き込んだ状態の本体を示す平面図および断面図である。
【００１９】
図１に示すように、本発明の実施形態であるカードコネクタ10は、全体薄い矩形状をした本体20を有しており、上面および側面は金属カバー10Ｕでおおわれている。前面パネル11にはメモリーカード12を排他的に挿入可能な挿入口であるスロット13が設けられており、スロット13の前面には蓋14が揺動開閉自在に設けられている。また、メモリーカード12を取り出す際に押すイジェクトボタン15が設けられている。金属カバー10Ｕの側面には、カードコネクタ10を例えば自動車の車体に取り付けるための取付ブラケット16が複数個設けられている。なお、金属カバー10Ｕの内部には、本体20が設けられている。
【００２０】
図２〜図４に示すように、本体20は、形状および寸法が異なる薄板状に形成された第１のメモリーカード12ａおよび第２のメモリーカード12ｂを互いに排他的に収容可能となっている。
【００２１】
ここでは、第１のメモリーカード12ａとしては例えば幅が細めで長さが長いメモリーカードであり、第２のメモリーカード12ｂとしては例えば幅が広めで長さが短いメモリーカードが例示されている。本体20の底板20ａの所定位置には、第１のメモリーカード12ａにおける第１端子部17ａおよび第２のメモリーカード12ｂにおける第２端子部17ｂに対して個別に接触可能な第１接触部21ａおよび第２接触部21ｂが設けられている。
【００２２】
これら第１接触部21ａおよび第２接触部21ｂでは、本体20の前後方向における所定位置において、弾性変形可能な導体が本体20の底板20ａから上方へ突出して設けられている。
【００２３】
従って、第１のメモリーカード12ａまたは第２のメモリーカード12ｂを挿入すると、その下面に設けられている第１端子部17ａまたは第２端子部17ｂが第１接触部21ａまたは第２接触部21ｂ接触して電気的に接続されるようになっている。
【００２４】
また、本体20の奥部（図２〜図４において左側）には、電気部品としてのカードコネクタ10を接続するための入出力端子22が設けられており、第1接触部21ａおよび第２接触部21ｂが適宜の配置で接続されている。
【００２５】
これにより、第１のメモリーカード12ａおよび第２のメモリーカード12ｂに対して、データの読み込みや書き込みが可能となる。
【００２６】
本体20の内部には、第１のメモリーカード12ａおよび第２のメモリーカード12ｂを挿通可能な形状およびサイズをした薄角筒状の筒体50が、メモリーカード12ａ、12ｂの挿入方向に沿って前後に進退可能に設けられている。
【００２７】
図７に示すように、筒体50は、最も先端（図２〜図４において左端）に設けられている先端壁50ａの下側から底板50Ｌの先端部にかけて第１の導通用切欠き55ａが設けられており、第１のメモリーカード12ａの第１端子部17ａが下方に露出するようにしている。また、底板50Ｌの前後方向中央部には第２の導通用切欠き55ｂが設けられており、第２のメモリーカード12ｂが挿入された際に、第２のメモリーカード12ｂの下面先端に設けられている第２端子部17ｂが下方に露出するようになっている。
【００２８】
幅が細くて長い第１のメモリーカード12ａを筒体50に挿入すると、第１のメモリーカード12ａの先端は先端壁50ａに当接する。一方、幅が広くて短い第２のメモリーカード12ｂが挿入された場合には、筒体50の中央において外側に拡幅している段部54に第２のメモリーカード12ｂの先端の角部が当接するようになっている。
【００２９】
従って、第１のメモリーカード12ａを挿入した場合でも、あるいは短い第２のメモリーカード12ｂを挿入した場合でも、メモリーカード12ａ、12ｂを押し込むことにより筒体50は挿入方向へ押し込まれることになる。
【００３０】
薄角筒状をした筒体50の天板50Ｕの前側（図２〜図４において右側）部分の左右両側端部には、天板50Ｕを切欠いて筒体50の内側（ここでは下側）に向かって弾性的に突出する突出片51が設けられており、筒体50に挿入されたメモリーカード12ａ、12ｂを下方へ押えて筒体50の内部に保持するようになっている（図２（Ｃ）参照）。
【００３１】
これにより、筒体50に保持されているメモリーカード12ａ、12ｂは、カードコネクタ10が振動しても脱落しないように、確実に保持されることになる。
【００３２】
また、筒体50の側壁50ｂでは、第１メモリーカード12ａおよび第２メモリーカード12ｂの側面に設けられている容量チェック用の第１嵌合凹部19ａおよび第２嵌合凹部19ｂに対応する位置に、切欠き53ａ、53ｂが各々設けられている。
【００３３】
筒体50の天板50Ｕには、左右（図２（Ａ）において上下）両側にはスライドピン52、52が上方へ突出して固設されていて、引込手段30に取付けられている。すなわち、取付手段30では、本体20の左右両側壁20ｂの上面に、左右一対のアーム部材31、31の一端31ａが各々ピン32により回動自在に設けられている。
【００３４】
また、各アーム部材31、31の他端31ｂには、トーションバネ34の先端が曲げ上げられて回転自在に取付けられており、両アーム部材31、31の他端31ｂは、トーションバネ34によって常時互いに離反する方向に付勢されている。
【００３５】
さらに、各アーム部材31、31には、長手方向に長円形の切欠き33が設けられており、この切欠き33には筒体50に固設されているスライドピン52、52が、各々スライド可能に取付けられている。
【００３６】
従って、図２に示すように、筒体50が手前側（図２において右側）にある場合には、両アーム部材31，31はピン32よりも手前側にあり、トーションバネ34が両アーム部材31、31の他端31ｂを外側に広げるので、スライドピン52、52は切欠き33に沿って移動し、筒体50は図２において右側に付勢される。なお、スライドピン52、52は、切欠き33の端部に達しているので、筒体50は図２に示した位置よりも右側へは移動できない。
【００３７】
また、筒体50にメモリーカード12ａ、12ｂを挿入して筒体50を押し込んで、図３に示す中立位置、すなわち両アーム部材31，31が一直線に並ぶ位置を越えると、トーションバネ34が両アーム部材31、31の他端31ｂを外側に広げるので、スライドピン52、52は切欠き33に沿って移動し、筒体50は図３において左側に引き込まれ、図４に示すように、奥部に引き込まれる。
【００３８】
本体20の右側（図２（Ａ）において上側）には、本体20の外側に露出してイジェクトボタン15が挿入方向に移動可能に設けられており、イジェクトボタン15の先端（図２中左端）は本体20の奥部まで達している。
【００３９】
また、イジェクトボタン15の中央部分には、本体20の中心側へ突出した突起15ｂが設けられている。そして、本体20の奥部には、本体20に収容されているメモリーカード12ａ、12ｂを収容位置からスロット13を通じて本体20の外側に押出す押出手段としてのイジェクトアーム40が回転軸41を中心として回動自在に設けられている。イジェクトアーム40の一端40ａには長円孔42が設けられており、この長円孔42には、イジェクトアーム40を操作するためのイジェクトボタン15の先端部15ａが係止されている。
【００４０】
従って、イジェクトボタン15を挿入方向へ押すと、イジェクトボタン15の先端部15ａが長円孔42を介してイジェクトアーム40の一端40ａを奥へ押すので、イジェクトアーム40は回転軸41を中心として反時針方向へ回動することになる。
【００４１】
本体20の側板20ｂの所定位置には、第１のメモリーカード12ａまたは第２のメモリーカード12ｂに設けられている容量チェック用の第１嵌合凹部19ａまたは第２嵌合凹部19ｂに嵌合する第１爪部23ａおよび第２爪部23ｂが設けられている。
【００４２】
第１爪部23ａは長い第１のメモリーカード12ａの第１嵌合凹部19ａに対応しており、本体20の奥部において回転軸24ａ回りに回動自在に設けられているアーム25ａの一端に中心側へ突出して設けられている。
【００４３】
また、アーム25ａの他端には折り曲げ部26が設けられており、第１のメモリーカード12ａが挿入されて筒体50が本体20の奥に移動すると、筒体50の先端壁50ａが折り曲げ部26に当接し、アーム25ａを図４（Ａ）において反時針方向へ回転させる。
【００４４】
これにより、第１爪部23ａは本体20の中心側へ付勢されて、第１のメモリーカード12ａの第１嵌合凹部19ａに嵌合し、第１のメモリーカード12ａをロックして脱落を防止することになる。
【００４５】
一方、第１のメモリーカード12ａを取り出す際にイジェクトボタン15を押し込むと、イジェクトボタン15の先端部15ａがイジェクトアーム40を図４（Ａ）において反時針方向に回転させて筒体50を手前側（図４中右側）へ押出す。
【００４６】
これに伴い、アーム25ａの折り曲げ部26から筒体50が離れるので、アーム25ａは図３（Ａ）において時針方向に回転可能となり、第１爪部23ａは第１のメモリーカード12ａの第１嵌合凹部19ａから離脱する。これにより、第１のメモリーカード12ａのロックが解除されて取り出し可能となる。
【００４７】
なお、第２のメモリーカード12ｂを挿入した場合でも筒体50が奥に移動するので、アーム25ａが回転して第１爪部23ａを中心側へ付勢するが、第２のメモリーカード12ｂは短く、第１爪部23ａに対応する位置には何もないので第１爪部23ａはメモリーカード12ａ、12ｂと干渉しない。
【００４８】
また、第２爪部23ｂは短い第２のメモリーカード12ｂの第２嵌合凹部19ｂに対応しており、本体20の側板20ｂの中央部において回転軸24ｂ回りに回動自在に設けられているアーム25ｂの一端に中心側へ突出して設けられている。
【００４９】
アーム25ｂの他端には外側に突出した突出部27が設けられており、イジェクトボタン15に設けられている突起15ｂに接触可能となっている。なお、アーム25ｂは常時時針方向へ付勢されており、第２爪部23ｂは中心方向に付勢されている。
【００５０】
従って、図２（Ａ）に示すように、メモリーカード12ａ、12ｂが筒体50の所定位置まで押し込まれていない状態では、イジェクトボタン15が挿入方向に押し込まれていて突起15ｂと突出部27とは干渉していない。このため、第２爪部23ｂは中心側に突出している。
【００５１】
第２のメモリーカード12ｂを図３に示される所定位置まで押し込むと、筒体50は引込手段30により奥に引き込まれる。このとき、イジェクトボタン15の移動に伴って突起15ｂが移動し、突出部27を乗り越える際にアーム25ｂを反時針方向へ回転させて第２爪部23ｂを外側に退避させる。これにより、第２のメモリーカード12ｂは第２爪部23ｂに干渉せずに奥に引き込まれる。
【００５２】
図４に示すように、筒体50がさらに奥に引き込まれると、イジェクトアーム40の回転によりイジェクトボタン15が図４中右方向へ押出される。これに伴い、突起15ｂも右方向へ移動し、突出部27を乗り越える。
【００５３】
これにより、アーム25ｂは一旦反時針方向へ回動し、その後再び時針方向へ回転して、第２爪部23ｂが中心側に突出して、第２のメモリーカード12ｂの第２嵌合凹部19ｂに嵌合し、第２のメモリーカード12ｂをロックして脱落を防止する。
【００５４】
また、図４に示されているように、本体20内部に収容されている第２のメモリーカード12ｂを取り出す際には、突出しているイジェクトボタン15を押し込む。これにより、イジェクトボタン15の先端部15ａがイジェクトアーム40を図４（Ａ）において反時針方向に回転させて筒体50を押出す。
【００５５】
このとき、イジェクトボタン15の突起15ｂが奥側へ移動し、突出部27を乗り越える際に、第２爪部23ｂを一旦外側へ移動させるので、第２嵌合凹部19ｂから外れてロック状態が解除される。これにより、第２のメモリーカード12ｂを取り出すことができる。
【００５６】
図５（Ａ）〜（Ｃ）に示すように、スロット13の蓋14は、イジェクトボタン15の移動と連動している。すなわち、回転軸14ａを中心として、蓋14と一体的に回動するカム14ｂが設けられており、イジェクトボタン15の側壁はカム板としてイジェクトボタン15の操作部側には第１凹部18ａが、また、イジェクトアーム40側すなわち奥側には第２凹部18ｂが設けられている。メモリーカード18ａ、18ｂが挿入されていない状態では、第１凹部18ａはカム33に干渉しないため、蓋14の開放動作には関係しない。このため、カム14ｂはカム14ｂ自身と蓋14の重みによって常時下方へ付勢されており、イジェクトボタン15の形状に沿って回動することにより、蓋14が開閉する。
【００５７】
すなわち、図５（Ａ）に示すように、メモリーカード12ａ、12ｂが挿入されていない場合には、イジェクトボタン15は原点位置にあって突出していない。この状態では、カム14ｂはイジェクトボタン15の手前側の第１凹部18ａにおいて垂れ下がっているので、蓋14は閉じている。
【００５８】
図５（Ｂ）に示すように、メモリーカード12ａ、12ｂを挿入すると、メモリーカード12ａ、12ｂに押されて蓋14は内側へ開く。そして、図５（Ｃ）に示すように、メモリーカード12ａ、12ｂが本体20の内部に完全に引き込まれると、イジェクトボタン15は前方に突出する。これに伴い、カム14ｂはイジェクトボタン15の奥側の第２凹部18ｂに沿って下降するので、蓋14が閉じる。また、メモリーカード18ａ、18ｂを取り出す際に、イジェクトボタン15を押込むと、カム14ｂが第２凹部18ｂに係合して蓋14を開放し、メモリーカード12ａ、12ｂを取り出し可能にする。
【００５９】
図２（Ａ）に示すように、本体20の左側（図２（Ａ）において下側）の側板20ｂ上部には、メモリーカード12ａ、12ｂの不完全挿入状態を検出する不完全挿入検知手段である途中検出スイッチ28が設けられている。
【００６０】
図６（Ａ）（Ｂ）に示すように、途中検出スイッチ28の端部28ａは蓋14と干渉する位置まで延びている。図６（Ａ）に示すように、蓋14が閉じた状態では蓋14が途中検出スイッチ28と干渉しないので、スイッチ・オフとなっている。一方、図６（Ｂ）に示すように、メモリーカード12ａ、12ｂを挿入して蓋14が開くと、蓋14が回転軸14ａを中心として回動し途中検出スイッチ28の端部28ａを持ち上げるので、接地されている金属カバー10Ｕと導通して短絡する。
【００６１】
従って、イジェクトボタン15が途中位置までとび出し、途中検出スイッチ28がスイッチ・オンとなっていると、蓋14が閉じておらず、メモリーカード12ａ、12ｂが完全に筒体50の内部に挿入されていないことが検出される。これにより、メモリーカード12ａ、12ｂの不完全装着を防止することができる。
【００６２】
次に、図２〜図４に基づいて、メモリーカード12ａ、12ｂの挿入動作およびイジェクト動作について説明する。図２（Ａ）、（Ｂ）はメモリーカード12ａ、12ｂを筒体50の内部に挿入した状態を示す平面図および断面図、図３（Ａ）、（Ｂ）はメモリーカード12ａ、12ｂを筒体50の内部に挿入して途中の所定位置まで押し込んだ状態を示す平面図および断面図、図４（Ａ）、（Ｂ）は筒体50が引込手段30により引き込まれて入出力端子22に接続された状態を示す平面図および断面図である。なお、内部構造が明確にわかるように、カードコネクタ10の金属カバー10Ｕを取り外した状態を示している。
【００６３】
図２（Ａ）、（Ｂ）に示されるように、筒体50にメモリーカード12ａ、12ｂを挿入するときには、筒体50は最も前方位置にあり、筒体50の第１導通用切欠き55ａと第２導通用切欠き55ｂの間の底板50Ｌが第２接触部21ｂの真上に位置して第２接触部21ｂを下方へ押し下げている。従って、第１のメモリーカード12ａを挿入する際に、先端下面の第１端子部17ａは第２接触部21ｂと接触することなく挿入することができ、第１端子部17ａを傷つけることなく挿入することができる。さらに、メモリーカード12ａ、12ｂをさらに挿入方向へ押し込むと、筒体50はメモリーカード12ａ、12ｂにより押されて挿入方向へ移動する。
【００６４】
これに伴って、筒体50のスライドピン52が挿入方向へ前進するため、引込手段30の両アーム部材31、31がピン32を中心として回動する。そして、図３（Ａ）、（Ｂ）に示すように、筒体50が所定位置（中立位置）まで押し込まれると、引込手段30の両アーム部材31，31が一直線状に並ぶ。
【００６５】
さらにメモリーカード12ａ、12ｂを押し込むと、トーションバネ34の付勢力により両アーム31、31が回転し、スライドピン52を挿入方向へ押して、筒体50は挿入方向へ引き込まれる（図４（Ａ）、（Ｂ）に示す状態）。これにより、第１のメモリーカード12ａが挿入された場合には、筒体50の第１導通用切欠き55ａを介して第１端子部17ａと第１接触部21ａとが導通する。また、第２のメモリーカード12ｂが挿入された場合に、筒体50の第２導通用切欠き55ｂを介して第２端子部17ｂと第２接触部21ｂとが導通する。
【００６６】
なお、筒体50が引き込まれると、イジェクトアーム40が回転してイジェクトボタン15を完全に手前側に押出す。
【００６７】
一方、メモリーカード12ａ、12ｂを取り出す際には、手前側に突出しているイジェクトボタン15を挿入方向へ押し込む。これにより、イジェクトボタン15の先端部15ａがイジェクトアーム40の一端40ａを押して回転させ、イジェクトアーム40の他端40ｂが筒体50を反挿入方向へ押出す。そして、筒体50が中立位置まで押出されると、引込手段30が引き込み動作と反対に作動して、筒体50を押出す。
【００６８】
以上、前述したカードコネクタ10によれば、第１のメモリーカード12ａおよび第２のメモリーカード12ｂのうちの一方をスロット13から本体20に収容する際に、蓋14は第１のメモリーカード12ａおよび第２のメモリーカード12ｂのうちの一方により押されて本体20の内側に向けて押し開かれる。そして、スロット13から本体20に挿入された第１のメモリーカード12ａまたは第２のメモリーカード12ｂは、本体20の外側に突出しているイジェクトボタン15を押すことにより、イジェクトアーム40によりスロット13から押出される。このとき、イジェクトボタン15の押込み移動に連動して、蓋14が本体20の内側に向けて押し開かれる。
【００６９】
従って、メモリーカード12ａ、12ｂの挿入動作時および取り出し動作時を除いて、スロット13の蓋14が閉じられてほこり等が本体20内部に侵入するのを防止することができるので、スロット13からほこり等が侵入して、接触不良や不完全挿入が生じるという問題を解消できることになる。
【００７０】
また、イジェクトボタン15の操作部側に設けられた第１凹部18ａは、メモリーカード12ａ、12ｂが挿入されていない場合には蓋14の開放動作に干渉しない。従って、通常時は閉じており、メモリーカード12ａ、12ｂを挿入する際には本体20の内側に回動して開く。
【００７１】
また、イジェクトボタン15において、第１凹部18ａよりもイジェクトアーム40側に設けられた第２凹部18ｂは、本体20内に収容されているメモリーカード12ａ、12ｂを取り出す際にイジェクトボタン15を本体20に向かって押し込むことにより、蓋14に係合して蓋14を開放する。これにより、メモリーカード12ａ、12ｂを、蓋14に干渉することなく取り出すことができる。
【００７２】
また、メモリーカード12ａ、12ｂが本体20内に挿入されているが、正規位置に達していない場合には、途中検出スイッチ28が完全に挿入されていないことを検知する。これにより、メモリーカード12ａ、12ｂの不完全挿入を回避することができる。
【００７３】
また、途中検出スイッチ28として第１のメモリーカード12ａおよび第２のメモリーカード12ｂにおける端子部17ａ、17ｂを短絡させることにより読取不可能にする。これにより、メモリーカードの不完全挿入を回避することができる。
【００７４】
なお、本発明のカードコネクタ10は、前述した実施形態に限定されるものでなく、適宜な変形，改良等が可能である。
【００７５】
例えば、前述した実施形態において、第１のメモリーカード12ａとして長く幅が狭いカードを、また、第２のメモリーカード12ｂとして短く幅広のカードを例示したが、これに限るものではない。
【００７６】
その他、前述した実施形態において例示した引込手段30，第１爪部23ａ、第２爪部23ｂ等の材質，形状，寸法，形態，数，配置個所等は本発明を達成できるものであれば任意であり、限定されない。
【図面の簡単な説明】
【００７７】
【図１】本発明に係るカードコネクタの全体斜視図である。
【図２】（Ａ）はメモリーカードを筒体に挿入した状態を示す斜視図、（Ｂ）は（Ａ）中（Ｂ）−（Ｂ）位置の断面図、（Ｃ）は突出片によりメモリーカードを保持している状態を示す拡大図である。
【図３】（Ａ）は筒体を所定位置まで挿入した状態を示す斜視図、（Ｂ）は（Ａ）中（Ｂ）−（Ｂ）位置の断面図である。
【図４】（Ａ）はメモリーカードを収容した筒体が引き込まれた状態を示す斜視図、（Ｂ）は（Ａ）中Ｂ−Ｂ位置の断面図である。
【図５】（Ａ）〜（Ｃ）は、イジェクトボタンと蓋との関係を示す断面図である。
【図６】（Ａ）はメモリーカードが挿入されていないのでスイッチ・オフの状態を示す断面図、（Ｂ）はメモリーカードが挿入されてスイッチ・オンとなった状態を示す断面図である。
【図７】（Ａ）は筒体の平面図、（Ｂ）は（Ａ）中Ｂ−Ｂ位置の底面図、（Ｃ）は（Ｂ）中Ｃ−Ｃ位置の断面図である。
【図８】（Ａ）は従来のカードコネクタを示す平面図、（Ｂ）は断面図である。
【符号の説明】
【００７８】
10  カードコネクタ
12ａ  第１のメモリーカード
12ｂ  第２のメモリーカード
13  スロット（挿入口）
14  蓋
15  イジェクトボタン
17ａ  第１端子部
17ｂ  第２端子部
18ａ  第１凹部
18ｂ  第２凹部
20  本体
28  途中検出スイッチ（不完全挿入検知手段）
40  イジェクトアーム（押出手段）
【図１】
2005093101.tif 000003
【図２】
2005093101.tif 000004
【図３】
2005093101.tif 000005
【図４】
2005093101.tif 000006
【図５】
2005093101.tif 000007
【図６】
2005093101.tif 000008
【図７】
2005093101.tif 000009
【図８】
2005093101.tif 000010